(57)【要約】【課題】大画面化に適するプラズマディスプレイ装置を提供することを目的とする。【解決手段】複数の表示電極を配置した前面基板と前記表示電極に交差するようにデータ電極を配置した背面基板とを間に放電空間が形成されるように対向配置したパネル１１と、このパネル１１を前面側に保持し背面側に前記パネル１１を駆動させるための駆動回路ブロックを配置したシャーシ部材２０とを有し、前記シャーシ部材２０は、パネル１１が取り付けられかつ複数に分割したベース金属板３６ａ、３６ｂ、３６ｃからなるベース板３６と、前記複数のベース金属板３６ａ、３６ｂ、３６ｃを結合する金属板３７、３８とで構成した。【選択図】図５
2007199705.tif 000002
【特許請求の範囲】
【請求項１】
複数の表示電極を配置した前面基板と前記表示電極に交差するようにデータ電極を配置した背面基板とを間に放電空間が形成されるように対向配置したプラズマディスプレイパネルと、このプラズマディスプレイパネルを前面側に保持し背面側に前記プラズマディスプレイパネルを駆動させるための駆動回路ブロックを配置したシャーシ部材とを有し、前記シャーシ部材は、プラズマディスプレイパネルが取り付けられかつ複数に分割したベース金属板からなるベース板と、前記複数のベース金属板を結合する金属板とで構成したことを特徴とするプラズマディスプレイ装置。
【請求項２】
シャーシ部材は、水平方向の強度を補強する水平方向アングルと、この水平方向アングルに取り付けられかつ垂直方向の強度を補強する垂直方向アングルとを備えた請求項１に記載のプラズマディスプレイ装置。
【請求項３】
シャーシ部材の垂直方向アングルの上端部に吊り下げ金具を固定した請求項２に記載のプラズマディスプレイ装置。
【請求項４】
複数の表示電極を配置した前面基板と前記表示電極に交差するようにデータ電極を配置した背面基板とを間に放電空間が形成されるように対向配置したプラズマディスプレイパネルと、このプラズマディスプレイパネルを前面側に保持し背面側に前記プラズマディスプレイパネルを駆動させるための駆動回路ブロックを配置したシャーシ部材と、このシャーシ部材にプラズマディスプレイパネルを保持して構成したモジュールを収容する筐体を構成する前面保護カバー及びバックカバーとを有し、前記シャーシ部材は、プラズマディスプレイパネルが取り付けられかつ複数に分割したベース金属板からなるベース板と、前記複数のベース金属板を結合する金属板とで構成したことを特徴とするプラズマディスプレイ装置。
【請求項５】
前記バックカバーは、複数に分割した分割カバーにより構成するとともに、前記分割カバーを前記シャーシ部材に取り付けたことを特徴とする請求項４に記載のプラズマディスプレイ装置。
【請求項６】
シャーシ部材は、水平方向の強度を補強する水平方向アングルと、この水平方向アングルに取り付けられかつ垂直方向の強度を補強する垂直方向アングルとを備え、バックカバーの分割カバーそれぞれを前記垂直方向アングルに取り付けた請求項４に記載のプラズマディスプレイ装置。
【発明の詳細な説明】
【技術分野】
【０００１】
本発明は、プラズマディスプレイパネル（以下、パネルという）を表示デバイスとして用いたプラズマディスプレイ装置に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のプラズマディスプレイパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなプラズマディスプレイ装置においては、ガラスが主材料のパネルをアルミニウムなどの金属製のシャーシ部材の前面側に保持させ、そのシャーシ部材の背面側にパネルを発光させるための駆動回路を構成する回路基板を配置することによりモジュールを構成している（特許文献１参照）。
【特許文献１】特開２００３−１３１５８０号公報
【発明の開示】
【発明が解決しようとする課題】
【０００６】
ところで、プラズマディスプレイ装置においては、容易に大画面化を実現しやすいことから、近年６５インチサイズ以上の製品が製造販売されるようになってきている。また、より高精細のディスプレイに対する要求が高まる中、これまで主流であった精細度が７６８×１３６６の製品から、より高精細度の１０８０×１９２０の製品が製造されるようになってきている。
【０００７】
このようにプラズマディスプレイ装置の大画面化、高精細化が進むことにより、製品を構成する部品について、見直しを行う必要が発生してくる。
【０００８】
本発明はこのような現状に鑑みなされたもので、大画面化に適する構成を備えたプラズマディスプレイ装置を提供することを目的とする。
【課題を解決するための手段】
【０００９】
この課題を解決するために本発明は、複数の表示電極を配置した前面基板と前記表示電極に交差するようにデータ電極を配置した背面基板とを間に放電空間が形成されるように対向配置したプラズマディスプレイパネルと、このプラズマディスプレイパネルを前面側に保持し背面側に前記プラズマディスプレイパネルを駆動させるための駆動回路ブロックを配置したシャーシ部材とを有し、前記シャーシ部材は、プラズマディスプレイパネルが取り付けられかつ複数に分割したベース金属板からなるベース板と、前記複数のベース金属板を結合する金属板とで構成したことを特徴とする。
【発明の効果】
【００１０】
本発明によれば、パネルが大画面化されても所定の強度のシャーシ部材を容易に得ることができ、これにより大画面化に適するプラズマディスプレイ装置を得ることができる。
【発明を実施するための最良の形態】
【００１１】
以下、本発明の一実施の形態によるプラズマディスプレイ装置について、図１〜図８を用いて説明するが、本発明の実施の態様はこれに限定されるものではない。
【００１２】
まず、プラズマディスプレイ装置におけるパネルの構造について図１を用いて説明する。図１に示すように、パネルは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００１３】
また、背面基板２上には絶縁体層７で覆われた複数のデータ電極８が設けられ、その絶縁体層７上には井桁状の隔壁９が設けられている。また、絶縁体層７の表面および隔壁９の側面に蛍光体層１０が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１４】
図２はこのパネルの電極配列図である。行方向にｎ本の走査電極ＳＣ１〜ＳＣｎ（図１の走査電極３）およびｎ本の維持電極ＳＵ１〜ＳＵｎ（図１の維持電極４）が配列され、列方向にｍ本のデータ電極Ｄ１〜Ｄｍ（図１のデータ電極８）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１５】
図３はこのパネルを用いたプラズマディスプレイ装置の回路ブロック図である。このプラズマディスプレイ装置は、パネル１１、画像信号処理回路１２、データ電極駆動回路１３、走査電極駆動回路１４、維持電極駆動回路１５、タイミング発生回路１６および電源回路（図示せず）を備えている。
【００１６】
画像信号処理回路１２は、画像信号ｓｉｇをサブフィールド毎の画像データに変換する。データ電極駆動回路１３はサブフィールド毎の画像データを各データ電極Ｄ１〜Ｄｍに対応する信号に変換し、各データ電極Ｄ１〜Ｄｍを駆動する。タイミング発生回路１６は水平同期信号Ｈおよび垂直同期信号Ｖをもとにして各種のタイミング信号を発生し、各駆動回路ブロックに供給している。走査電極駆動回路１４はタイミング信号にもとづいて走査電極ＳＣ１〜ＳＣｎに駆動電圧波形を供給し、維持電極駆動回路１５はタイミング信号にもとづいて維持電極ＳＵ１〜ＳＵｎに駆動電圧波形を供給する。ここで、前記走査電極駆動回路１４および維持電極駆動回路１５は、維持パルス発生部１７を備えている。
【００１７】
次に、パネルを駆動するための駆動電圧波形とその動作について図４を用いて説明する。図４はパネルの各電極に印加する駆動電圧波形を示す図である。
【００１８】
本実施の形態によるプラズマディスプレイ装置においては、１フィールドを複数のサブフィールドに分割し、それぞれのサブフィールドは初期化期間、書込み期間、維持期間を有している。
【００１９】
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００２０】
その後、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。
【００２１】
続く書込み期間では、走査電極ＳＣ１〜ＳＣｎを一旦Ｖｒ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。
【００２２】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００２３】
続く維持期間では、走査電極ＳＣ１〜ＳＣｎには第１の電圧として正の維持パルス電圧Ｖｓ（Ｖ）を、維持電極ＳＵ１〜ＳＵｎには第２の電圧として接地電位、すなわち０（Ｖ）をそれぞれ印加する。このとき書込み放電を起こした放電セルにおいては、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。
【００２４】
書込み期間において書込み放電が起きなかった放電セルでは、維持放電は発生せず、初期化期間の終了時における壁電圧が保持される。続いて、走査電極ＳＣ１〜ＳＣｎには第２の電圧である０（Ｖ）を、維持電極ＳＵ１〜ＳＵｎには第１の電圧である維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２５】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。
【００２６】
続くサブフィールドにおける初期化期間、書込み期間、維持期間の動作も第１サブフィールドにおける動作とほぼ同様のため、説明を省略する。
【００２７】
図５に上記で説明した構造のパネルを組み込んだプラズマディスプレイ装置の全体構成の一例を示し、図６に背面側から見た駆動回路ブロックの配置の一例を示し、図７にプラズマディスプレイ装置の断面構造を示している。
【００２８】
図において、２０は金属製の放熱板を兼ねた保持板としてのシャーシ部材で、このシャーシ部材２０の構成については、後で説明する。このシャーシ部材２０の前面側には、パネル１１がシャーシ部材２０との間に放熱シート２１を介在させて接着材などにより接着することにより、保持されている。また、シャーシ部材２０の背面側には、図６に示すように、パネル１１を表示駆動させるための複数の駆動回路ブロックが配置され、これによりモジュールが構成されている。
【００２９】
ここで、前記放熱シート２１は、パネル１１をシャーシ部材２０の前面側に接着して保持し、パネル１１で発生した熱をシャーシ部材２０に効率よく伝え、放熱を行うためのものであり、厚さは１ｍｍ〜２ｍｍ程度である。この放熱シートとしては、アクリルやウレタン、シリコン樹脂やゴムなどの合成樹脂材料に熱伝導性を高めるフィラーを含有させた絶縁性の放熱シートや、グラファイトシート、金属シートなどを用いることができる。また、放熱シート自体に接着力を持たせ、パネル１１をシャーシ部材２０に放熱シートのみで接着して保持する構成や、放熱シートには接着力がなく、別の両面接着テープを用いてパネル１１をシャーシ部材２０に接着する構成などを用いることができる。
【００３０】
また、パネル１１の両側縁部には、走査電極３および維持電極４の電極引出部に接続された表示電極用配線部材としてのフレキシブル配線板２２が設けられ、シャーシ部材２０の外周部を通して背面側に引き回され、走査電極駆動回路１４の駆動回路ブロック２３および維持電極駆動回路１５の駆動回路ブロック２４にコネクタを介して接続されている。
【００３１】
一方、パネル１１の下部および上部縁部には、データ電極８の電極引出部に接続されたデータ電極用配線部材としての複数のフレキシブル配線板２５が設けられ、そしてそのフレキシブル配線板２５は、データ電極駆動回路１３の複数のデータドライバ２６それぞれに電気的に接続されるとともに、シャーシ部材２０の外周部を通して背面側に引き回され、前記シャーシ部材２０の背面側の下部および上部位置に配置されたデータ電極駆動回路１３の駆動回路ブロック２７に電気的に接続されている。
【００３２】
制御回路ブロック２８は、テレビジョンチューナ等の外部機器に接続するための接続ケーブルが着脱可能に接続される入力端子部を備えた入力信号回路ブロック２９から送られる映像信号に基づき、画像データをパネル１１の画素数に応じた画像データ信号に変換してデータ電極駆動回路の駆動回路ブロック２７に供給すると共に、放電制御タイミング信号を発生し、各々走査電極駆動回路１４の駆動回路ブロック２３および維持電極駆動回路１５の駆動回路ブロック２４に供給し、階調制御等の表示駆動制御を行うもので、シャーシ部材２０のほぼ中央部に配置されている。
【００３３】
電源ブロック３０は、前記各回路ブロックに電圧を供給するもので、前記制御回路ブロック２８と同様、シャーシ部材２０のほぼ中央部に配置され、電源ケーブル（図示せず）が装着されるコネクタを通して商用電源電圧が供給される。これらの駆動回路ブロック２３、２４、２７や制御回路ブロック２８や入力信号回路ブロック２９や電源ブロック３０は、前記シャーシ部材２０の背面側に設けられたボス部にビスなどにより固定されている。
【００３４】
また、前記駆動回路ブロック２３、２４の近傍には、冷却ファン３１がアングル３２に保持されて配置されており、この冷却ファン３１から送られる風により駆動回路ブロック２３、２４が冷却されるように構成されている。さらに、シャーシ部材２０の上部位置には、上部位置に配置したデータ電極駆動回路１３の駆動回路ブロック２７を冷却するとともに、シャーシ部材２０の背面側において、装置全体の内部に下部から上部に向かって空気流を起こすことにより、装置内部を冷却する冷却ファン３３が配置されている。
【００３５】
以上のような構造のモジュールは、図７に示すように、前記パネル１１の前面側に配置される前面保護カバー３４と、前記シャーシ部材２０の背面側に配置される金属製のバックカバー３５とを有する筐体内に収容され、これによりプラズマディスプレイ装置が完成する。前記バックカバー３５には、モジュールで発生した熱を外部に放出するための複数の通気孔３６が設けられている。
【００３６】
次に、本発明によるプラズマディスプレイ装置のシャーシ部材２０、及び筐体を構成する前面保護カバー３４、バックカバー３５の構成について、図５、及び図７〜図９を用いて説明する。
【００３７】
まず、シャーシ部材２０について、図５、及びシャーシ部材２０の分解斜視図を示す図８を用いて詳しく説明する。
【００３８】
図８に示すように、シャーシ部材２０は、パネル１１が取り付けられるアルミニウム板などの複数（図示のものは３枚）のベース金属板３６ａ、３６ｂ、３６ｃからなるベース板３６と、このベース板３６に重ね合わせた状態で固定されかつ前記ベース金属板３６ａ、３６ｂ、３６ｃを結合する金属板３７、３８と、前記ベース板３６の水平方向及び垂直方向の強度を補強するための角筒形状の複数本のアングル３９、４０、４１とから構成されている。
【００３９】
前記金属板３７はアルミニウム板などから構成され、前記ベース板３６の背面側の上下の周縁部に重ね合わせた状態で固定し、前記ベース金属板３６ａ、３６ｂ、３６ｃを結合するとともに、ベース板３６を補強するものである。前記金属板３８もアルミニウム板などから構成され、前記ベース板３６の左右のベース金属板３６ａ、３６ｃの背面側周縁部に重ね合わせた状態で固定し、前記ベース板３６を補強するものである。
【００４０】
また、２本の水平方向のアングル３９は、金属板３７に重ね合わせた状態で固定し、ベース板３６の水平方向の強度を補強し、さらに１本の水平方向のアングル４０は、ベース板３６に重ね合わせた状態で固定し、前記ベース金属板３６ａ、３６ｂ、３６ｃを結合するとともにベース板３６の水平方向の強度を補強するものである。
【００４１】
さらに、３本の垂直方向のアングル４１は、前記２本のアングル３９間に橋渡しされるようにアングル３９に直交させて固定し、前記ベース板３６の垂直方向の強度を補強するものであり、この垂直方向に固定した３本のアングル４１それぞれの上端部には、プラズマディスプレイ装置を吊り下げて運搬するための吊り下げ金具４２がそれぞれ固定されている。また、この３本のアングル４１の中間部は、前記ベース板３６に固定したアングル４０に結合金具４３を介して固定されている。
【００４２】
ここで、前記シャーシ部材２０は、複数のベース金属板３６ａ、３６ｂ、３６ｃからなるベース板３６と、このベース板３６に重ね合わせた状態で固定されかつ前記ベース金属板３６ａ、３６ｂ、３６ｃを結合する金属板３７、３８を備えた構成であり、これにより大画面のパネル１１を保持するシャーシ部材２０として、ベース板３６にプレス成形などの加工を施すことなく、容易に得ることができる。特に、１００インチサイズの大画面のパネル１１を保持するシャーシ部材２０を１枚の薄板の金属板を加工成形して得ようとした場合、パネル１１が取付けられるシャーシ部材２０の前面の平面度を確保することは難しく、このためある程度の厚みを有する金属板を加工してシャーシ部材２０を構成することになるが、シャーシ部材２０の重量が大きくなるという問題がある。
【００４３】
本発明においては、シャーシ部材２０のパネル１１が取付けられるベース板３６を複数のベース金属板３６ａ、３６ｂ、３６ｃにより分割して形成し、それらのベース金属板３６ａ、３６ｂ、３６ｃを金属板３７、３８により結合する構造であるため、パネル１１の取り付け面の平面度を容易に確保しやすく、これにより容易にシャーシ部材２０を得ることができる。
【００４４】
次に、筐体を構成する前面保護カバー３４、バックカバー３５の構成について、図５、図７、及び前面保護カバー３４の分解斜視図を示す図９を用いて説明する。
【００４５】
前面保護カバー３４は、図７、図９に示すように、パネル１１の前面側の画像表示領域が表出する開口部４４ａを有する樹脂や金属からなる前面枠４４と、この前面枠４４の開口部４４ａに取付けられかつ光学フィルターや電磁波の不要輻射を抑制するための不要輻射抑制膜が設けられたガラスなどからなる保護板４５とを備えた構成であり、前記保護板４５は、保護板４５の周辺部を前面枠４４の開口部４４ａの周縁部と保護板押え金具４６とで、補強用枠４７を介して挟むことにより、前面枠４４に取り付けられている。
【００４６】
前記補強用枠４７は、前記パネル１１の非表示領域が観客から見えないように覆い隠すとともに、プラズマディスプレイ装置の外観上のデザインを高めるために設けられており、前記パネル１１の表示領域に相当する開口部４７ａを設けて樹脂や金属により構成するとともに、前記前面枠４４の開口部４４ａに開口部４７ａの周縁部が表出する寸法形状で構成されており、その補強用枠４７の前面側は、光沢処理や梨地処理が施されている。
【００４７】
また、この前面保護カバー３４には、前面枠４４に保護板押え金具４６を取り付けるとともに、前面枠４４を前記シャーシ部材２０のアングル３９に取り付けるための取り付け金具４８、４９を備えており、図７に示すように、取り付け金具４８を前面枠４４にねじ５０で取り付け、その取り付け金具４８をシャーシ部材２０に取り付け金具４９を介して取り付けることにより、前面保護カバー３４がシャーシ部材２０に取付けられる。
【００４８】
次に、バックカバー３５は、図５、図７に示すように、複数（図示のものは４分割）に分割された構成であり、その複数の分割カバー３５ａ〜３５ｄは、前記シャーシ部材２０のアングル４１、及び前記前面保護カバー３４の保護板押え金具４６にねじ（図示せず）により取り付けられている。
【００４９】
ここで、本発明においては、前面保護カバー３４は、パネル１１の前面側の画像表示領域が表出する開口部４４ａを有する樹脂や金属からなる前面枠４４と、この前面枠４４の
開口部４４ａに取付けられかつ光学フィルターや電磁波の不要輻射を抑制するための不要輻射抑制膜が設けられたガラスなどからなる保護板４５とを備えた構成で、かつ前記保護板４５は、保護板４５の周辺部を前面枠４４の開口部４４ａの周縁部と保護板押え金具４６とで、補強用枠４７を介して挟むことにより前面枠４４に取り付ける構成であり、前面枠４４とは別体の補強用枠４７を有する構成であるため、前面枠４４の厚みを厚くしなくても、パネル１１の前面を保護する前面保護カバー３４として、十分な強度を持たせることができる。特に、パネルの大画面化が進むにつれ、前面枠４４の外形寸法、開口部４４ａが大きくなり、前面枠４４の板厚が同じであると、前面枠４４の強度が低下するが、前面枠４４ａの内側に飾りを兼ねた補強用枠４７を別体で設けることにより、前面保護カバー３４として十分な強度を得ることができる。
【００５０】
また、本発明では、バックカバー３５を複数に分割し、前記シャーシ部材２０の補強用のアングル４１に取り付けることにより、前記前面保護カバー３４とで筐体を構成しているため、大画面のパネル１１を用いたプラズマディスプレイ装置の筐体を簡単に構成することができる。
【００５１】
次に、本発明による大型のプラズマディスプレイ装置を自立させた状態で保持するためのスタンドへの取付け構造について、図１０〜図１３の図面を用いて説明する。
【００５２】
図１０は大型のプラズマディスプレイ装置を自立させた状態で保持するためのスタンドの一例を示す斜視図、図１１は上述した大型のプラズマディスプレイ装置を背面側、すなわちバックカバー３５側から見た斜視図、図１２は図１０に示すスタンドの要部構造を示す平面図、図１３は図１０に示すスタンドにプラズマディスプレイ装置を取り付けた状態の要部構造を示す断面図である。
【００５３】
図１０に示すように、スタンド５１は、キャスター５２を備えた台車５３に、金属製の角筒形状の２本の支柱５４を取り付けることにより構成されている。５５は台車５３に支柱５４を固定するための金属製の固定板で、この固定板５５を台車５３と支柱５４に溶接などにより接合することにより、支柱５４が台車５３に立設した状態で取り付けられている。なお、図１０には、スタンド５１とプラズマディスプレイ装置との位置関係が分かるように、プラズマディスプレイ装置の内部のアングル４１を図示している。
【００５４】
また、スタンド５１のそれぞれの支柱５４において、プラズマディスプレイ装置が取り付けられる側の面には、図１０および図１２に示すように、最上部にＵ字形状の切り欠き部５６が設けられるとともに、中間部に鍵穴形状の係止孔５７が設けられている。
【００５５】
そして、プラズマディスプレイ装置の背面側には、図１１に示すように、中間部に径の小さい小径部５８ａを有する円柱形状の４個の係止ブロック５８がバックカバー３４を貫通してアングル４１にねじ止めにより固定されている。なお、この係止ブロック５８は、図５で示した３本の垂直方向のアングル４１のうち、両側に位置する２本のアングル４１に固定されており、前記スタンド５１の支柱５４に設けた切り欠き部５６と係止孔５７に嵌め込むことにより、小径部５８ａが切り欠き部５６と係止孔５７に係止する構造である。
【００５６】
すなわち、図１０〜図１３で示すプラズマディスプレイ装置の取り付け構造によれば、
図１１に示すように、係止ブロック５８の小径部５８ａを切り欠き部５６および係止孔５７に引っ掛けるようにスタンド５１の支柱５４に仮固定した後、図１０および図１３に示すように、固定ねじ５９によりスタンド５１の支柱５４とプラズマディスプレイ装置のアングル４１とを固定することにより、スタンド５１にプラズマディスプレイ装置を容易に取り付けることができる。
【産業上の利用可能性】
【００５７】
以上のように本発明は、大画面のプラズマディスプレイ装置を提供する上で有用な発明である。
【図面の簡単な説明】
【００５８】
【図１】本発明の一実施の形態によるプラズマディスプレイ装置に用いるパネルの要部を示す斜視図
【図２】同パネルの電極配列図
【図３】同プラズマディスプレイ装置の回路ブロック図
【図４】パネルの各電極に印加する駆動電圧波形を示す波形図
【図５】同プラズマディスプレイ装置の背面側の構成を示す斜視図
【図６】同プラズマディスプレイ装置を背面側から見た配置の一例を示す平面図
【図７】同プラズマディスプレイ装置の要部の断面構造を示す断面図
【図８】同プラズマディスプレイ装置のシャーシ部材の一例を示す斜視図
【図９】同プラズマディスプレイ装置の前面保護カバーの一例を示す斜視図
【図１０】大型のプラズマディスプレイ装置を自立させた状態で保持するためのスタンドの一例を示す斜視図
【図１１】大型のプラズマディスプレイ装置を背面側から見た斜視図
【図１２】図１０に示すスタンドの要部構造を示す平面図
【図１３】図１０に示すスタンドにプラズマディスプレイ装置を取り付けた状態の要部構造を示す断面図
【符号の説明】
【００５９】
１１  パネル
２０  シャーシ部材
３４  前面保護カバー
３５  バックカバー
３５ａ、３５ｂ、３５ｃ、３５ｄ  分割カバー
３６  ベース板
３６ａ、３６ｂ、３６ｃ、３７、３８  金属板
３９、４０、４１  アングル
４４  前面枠
４５  保護板
４７  補強用枠
【図１】
2007199705.tif 000003
【図２】
2007199705.tif 000004
【図３】
2007199705.tif 000005
【図４】
2007199705.tif 000006
【図５】
2007199705.tif 000007
【図６】
2007199705.tif 000008
【図７】
2007199705.tif 000009
【図８】
2007199705.tif 000010
【図９】
2007199705.tif 000011
【図１０】
2007199705.tif 000012
【図１１】
2007199705.tif 000013
【図１２】
2007199705.tif 000014
【図１３】
2007199705.tif 000015